【手続補正書】
【提出日】平成25年7月3日(2013.7.3)
【手続補正１】
【補正対象書類名】明細書
【補正対象項目名】００１３
【補正方法】変更
【補正の内容】
【００１３】
本発明に係るユーザ端末は、描画入力に関する情報若しくは削除入力に関する情報を受け付ける入力受付手段と、前記削除入力に関する情報と交差する描画入力に関する情報を交差画像に関する情報として取得する交差画像情報取得手段と、前記交差画像を分割する分割手段と、を備えることを特徴とする。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】特許請求の範囲
【補正対象項目名】全文
【補正方法】変更
【補正の内容】
【特許請求の範囲】
【請求項１】
描画入力に関する情報若しくは削除入力に関する情報を受け付ける入力受付手段と、
前記削除入力に関する情報と交差する描画入力に関する情報を交差画像に関する情報として取得する交差画像情報取得手段と、
前記交差画像を分割する分割手段と、を備えることを特徴とするユーザ端末装置。
【請求項２】
前記削除入力のモーションを算出するモーション算出手段を備え、
前記モーション算出手段で算出されたモーションに応じて前記交差画像に関する情報を削除することを特徴とする請求項１記載のユーザ端末装置。
【請求項３】
前記モーション算出手段は、前記削除入力の移動速度を算出し、前記移動速度に応じた大きさの削除領域を生成する削除領域生成手段を備え、
前記分割手段は、前記生成した削除領域に含まれる部分のみ削除するよう前記交差画像を分割することを特徴とする請求項２に記載のユーザ端末装置。
【請求項４】
移動速度が予め決められた上限を超えているか否かを判別する速度上限判別手段を備え、
前記削除領域生成手段は、前記速度上限判別手段で判別された結果に従った大きさの削除領域を生成することを特徴とする請求項３に記載のユーザ端末装置。
【請求項５】
前記ストロークの長さを予め決められた複数段階に判別するストローク長判別手段を備え、
前記削除領域生成手段は、前記ストローク長判別手段で判別された結果に従った大きさの削除領域を生成することを特徴とする請求項４に記載のユーザ端末装置。
【請求項６】
前記モーション算出手段は、前記削除入力が閉曲線を形成するか否かを算出し、
入力が削除入力かつ、前記削除入力が閉曲線である場合に、前記閉曲線に含まれる前記交差画像情報の全ての座標を削除することを特徴とする請求項３に記載のユーザ端末装置。
【請求項７】
前記削除交差画像に関する座標のうち削除される部分の色を、描画入力および削除入力とは異なる色で表示することを特徴とする請求項１から請求項６の何れか一項に記載のユーザ端末装置。
【請求項８】
前記削除入力により削除されたストロークを復元する復元手段を備えたことを特徴とする請求項１から請求項７の何れか一項に記載のユーザ端末装置。
【請求項９】
１以上のユーザ端末と、サーバ装置とが、ネットワークを介して接続され、各ユーザ端末からの情報を前記サーバ装置で共有化する描画共有システムの前記サーバ装置であって、
前記ユーザ端末から配信要求を受け付ける配信要求受付手段と、
前記配信要求の応答情報を生成する応答生成手段と、
前記受け付けた配信要求に含まれる入力情報が削除入力情報の場合は、前記削除入力情報から算出される削除領域に含まれる部分のみ削除するよう交差画像情報を分割する分割手段と、を備えることを特徴とするサーバ装置。
【請求項１０】
１以上のユーザ端末と、サーバ装置とが、ネットワークを介して接続され、各ユーザ端末からの描画情報を前記サーバ装置で処理する描画処理システムであって、描画入力に関する情報若しくは削除入力に関する情報を受け付ける入力受付手段と前記削除入力に関する情報と交差する描画入力に関する情報を交差画像に関する情報として取得する交差画像情報取得手段と、前記交差画像情報を分割する分割手段と、
を備えることを特徴とする描画処理システム。
【請求項１１】
描画入力に関する情報若しくは削除入力に関する情報を受け付けるステップと、前記削除入力に関する情報と交差する描画入力に関する情報を交差画像に関する情報として取得するステップと、前記交差画像を分割するステップと、
を備えることを特徴とする描画処理方法。
【請求項１２】
描画入力に関する情報若しくは削除入力に関する情報を受け付ける処理と、前記削除入力に関する情報と交差する描画入力に関する情報を交差画像に関する情報として取得する処理と、
前記受け付けた入力情報と、前記交差画像を分割する処理と、
をユーザ端末装置であるコンピュータに実行させることを特徴とする描画処理プログラム。
【請求項１３】
請求項１２記載の描画処理プログラムの処理を記録するコンピュータ読取り可能な記録媒体。